(57)【要約】【課題】  簡単に施工できるうえ、低電力消費および長寿命化が図れるレジ案内灯を提供する。【解決手段】  導光体１３の入光面１３ｃ，１３ｄの全域に均等する位置に対向して複数の発光ダイオード１２を配置し、この発光ダイオード１２からの光を反射体１４で乱反射させ、その散乱光により前記導光体１３の出光面１３ａを面発光させて、導光体１３の出光面１３ａに対向配置された表示体１６を照光する。【選択図】  図３
2005099406.tif 000002
【特許請求の範囲】
【請求項１】
入光面に入射した光を出光面から面発光させて出光させる導光体と、
前記導光体の入光面の全域に均等して対向配設された複数の発光ダイオードと、
前記導光体における非出光面に対向配設されて、該導光体の非出光面に至る光を出光面側に向けて乱反射させる反射体と、
前記導光体の出光面に対向配置されるとともに、該導光体の出光面から射出される散乱光で照光されて所定の表示パターンを表示する表示体と、
を備えていることを特徴とするレジ案内灯。
【請求項２】
前記発光ダイオードを点滅させる点滅制御回路を備えている請求項１に記載のレジ案内灯。
【発明の詳細な説明】
【技術分野】
【０００１】
この発明は、スーパーマーケットなどのセルフサービスによる販売方式を採る店舗における複数のレジに設置されるレジ案内灯に関する。
【技術背景】
【０００２】
スーパーマーケットのような店舗では、互いに並列する複数のレジがあり、商品を選択して買い物かごに入れた客は、支払いのために、いずれかのレジに向かう。
【０００３】
ところで、各レジは、店舗や店員の都合により休止することがあり、各レジには、レジ休止中であることを表示して、他の稼働中のレジ利用することを客を促すためにレジ表示灯が設けられている。
【０００４】
従来のレジ表示灯は、光源として電球を使用し、レジ休止か否かを表示させるための所定のパターンを有する表示板で前記電球を４方から取り囲んだ行灯形のものが多い。
【発明の開示】
【発明が解決しようとする課題】
【０００５】
ところが、従来のレジ表示灯は、光源としての電球を使用しているから、消費電力がかなり多く、専用の電源を必要とし、新設および保守工事を電気工事士に依存しなけばならない。電球による発熱が大きいので、塵埃の侵入のために密閉した行灯構造を採ろうとしても、逆に発熱のトラブルも起こしかねない。さらに、電球を点滅させる表示形態にすれば、電球の寿命が著しく短命となる欠点がある。
【０００６】
この発明の課題は、施工が簡単に行えるうえ、消費電力の低減化および長寿命化が図れるレジ案内灯を提供することにある。
【課題を解決するための手段】
【０００７】
請求項１の発明は、入光面に入射した光を出光面から面発光させて出光させる導光体と、前記導光体の入光面の全域に均等して対向配設された複数の発光ダイオードと、前記導光体における非出光面に対向配設されて、該導光体の非出光面に至る光を出光面側に向けて乱反射させる反射体と、前記導光体の出光面に対向配置されるとともに、該導光体の出光面から射出される散乱光で照光されて所定の表示パターンを表示する表示体と、を備えていることを特徴とするレジ案内灯に係わるものである。
【０００８】
請求項２の発明は、前記発光ダイオードを点滅させる点滅制御回路を備えていることを特徴とするレジ案内灯に係わるものである。
【発明の効果】
【０００９】
この発明によれば、複数の発光ダイオードから導光体に入射した光が反射体で該導光体の出光面に向けて乱反射され、散乱光が前記導光体の出光面から表示体に照光される。
【００１０】
つまり、光源として発光ダイオードを使用したので、電力消費を低減できるとともに、密閉構造を採っても発熱のトラブルのおそれがなく、このため、長期間にわたって適正表示機能を発揮させることができ、また、専用電源が不要となり、工事士に依存するこなく施工や保守が行える。
【００１１】
また、点滅制御回路を備えることにより、例えば店員の支援要請を行う際に、該発光ダイオードを点滅駆動して、単なる点灯とは明確に違う表示状態にさせることができ、この点滅駆動であっても、電球のように早期に断線するといったおそれもない。
【発明を実施するための最良の形態】
【００１２】
以下、この発明の実施形態を図面に基づいて説明する。
【００１３】
図１は、この発明の実施形態にかかるレジ案内灯が設置された店舗のレジ付近を示す斜視図である。
【００１４】
図１において、店舗内の所定箇所には、複数のレジ１…が並設されている。各レジ１は、客が商品が入った買い物かごを載せるレジカウンタ２と、このレジカウンタ２における客流れ方向（矢印ａ方向）の略中央位置に配置された商品コード読み取り装置３と、レジカウンタ２の客流れ方向下流端側に設置されたレジスター装置４を備えており、前記レジカウンタ２の上流端近傍に、電池などの日常的に使う商品Ｎの陳列棚５が配置されており、この陳列棚５における後側仕切り部材６に、レジの稼働中、休止中、あるいは店員の応援要請を選択的に表示するレジ案内灯１０が支柱３２を介して立設されている。
【００１５】
前記レジ案内灯１０は、例えば図２に示すように、レジ１での客流れ方向ａの上流側を向く前面部１０Ａと、左右の側面部１０Ｂ，１０Ｃおよび後面部１０Ｄから全体として４角筒形の行灯形として構成されており、そのうち前面部１０Ａならびに左右の側面部１０Ｂ，１０Ｃの３つ面部が同じ構成の案内灯部として構成されている。以下において、前面案内灯部１０Ａを代表してその構造を説明する。
【００１６】
前面案内灯部１０Ａは、図３および図４に示すように、フレーム本体１１と、このフレーム本体１１に配設された光源としての複数の発光ダイオード（以下、ＬＥＤという）１２と、ＬＥＤ１２からの光を受光する導光板１３と、反射板１４と、導光板１３の出光面１３ａに乱反射シート１５を介して対向配設された表示板１６と、表示板押さえフレーム１８とを備えている。
【００１７】
前記フレーム本体１１は、絶縁性材により後面閉塞の略額縁形に形成されており、内側面全周には、導光板支持用段部１１ａが一体形成されている。このフレーム本体１１の上辺内側面および下辺内側面には、それぞれ各辺の全長にわたって前記複数のＬＥＤ１２が列状に配置されている。勿論、ＬＥＤ１２は、フレーム本体１１の上辺側か下辺側の一方に設けた形態も可能である。
【００１８】
前記ＬＥＤ１２は、例えば１２Ｖの直流電源Ｅ（図５）で駆動される同一発光色のＬＥＤからなり、通常点灯および消灯の他に、この例では、点滅作動できるようになっている。
【００１９】
前記導光板１３は、例えばアクリル樹脂などの透光性材により前記フレーム本体１１に対応した方形に形成されており、前記ＬＥＤ１２とでサイドライト方式の面光源を構成し、ＬＥＤ１２からの光を受光して面発光するようになっている。
【００２０】
前記導光板１３の前面１３ａが出光面として設定され、後面１３ｂおよび左右の側面１３ｅ，１３ｆが非出光面として設定されている。前記出光面１３ａには、その全域が有効に面発光するように、乱反射状模様、例えば微細な多数のハニカム模様が施されており、また、前記左右の非出光面１３ｅ，１３ｆには、それぞれ光の側方への漏出を阻止する反射層１７，１７がコーティング法などで形成されている。
【００２１】
また、導光板１３の上側面１３ｃが前記上側のＬＥＤ１２群からの光を入射させる上側入光側面として設定され、下側面１３ｄが前記下側のＬＥＤ１２群からの光を入射させる下側入光面として設定されている。
【００２２】
前記反射板１４は、導光板１３における非出光面１３ｂに対向配設されて、非出光面１３ｂから漏出しょうとする光を出光面１３ａ側へ乱反射させるものであり、前記導光板１３の非出光面１３ｂに対抗する表面１４ａの全域に乱反射加工、例えば梨状加工ないしはギザ加工などが施されている。
【００２３】
前記乱反射シート１５は、導光板１３の出光面１３ａからの散乱光をさらに散乱させて全域で有効な面発光を得るものであり、例えば半透明な樹脂シートなどからなる。なお、この乱反射シート１５と前記導光板１３の出光面１３ａにおける光散乱模様とは、いずれかを選択的に設けてもよい。
【００２４】
前記表示板１６は、半透明の透光性材、例えば乳白色のガラスなどからなり、図５に示すように、表面１６ａには、「￥」の表示パターンＰを残して散乱光を遮光する遮光層１７が背景色として形成されている。
【００２５】
前記ＬＥＤ１２の点灯では、前記表示板１６の「￥」の表示パターンＰが照光されてレジ稼働中であることを示し、ＬＥＤ１２の消灯では、「￥」の表示パターンＰが非照光となってレジ休止中であることを示す。また、ＬＥＤ１２の点滅では、例えばレジ店員の応援要請などを示すように設定されている。勿論、「￥」の表示パターンＰを非照光とし、表示パターンＰの背景を照光することにより、前記表示パターンＰを背景から視覚的に浮き上がるように表示させる構成も可能である。
【００２６】
前記表示板押さえフレーム１８は、前記表示板１６の周縁部を押さえるつば部１８ａを有し、正面形状がロ字形に形成されており、前記フレーム本体１１の前端面に着脱可能に嵌着されてねじ１９などで固定される。
【００２７】
前記前面案内灯部１０Ａを組み立てるには、まず、前記フレーム本体１１の後壁内面に前記反射板１４をその表面１４ａを前向きにして設置した後、導光板１３をその出光面１３ａを前向きで前記段部１１ａに設置すれば、その上下の入光面１３ｃ，１３ｄがそれぞれ前記上下のＬＥＤ１２群，１２群に対向する。ついで、乱反射シート１５を導光板１３の出光面１３ａに重合させてから、表示板１６を光散乱シート１５の表面に重合し、最後に、前記表示板押さえフレーム１８を前記フレーム本体１１の前側開口端部に嵌着してから該表示板押さえフレーム１８をねじ１９でフレーム本体１１に固定すれば、前記導光板１３、光散乱シート１５および表示板１６などが前記フレーム本体１１と表示板押さえフレーム１８との間に堅固に挟着・固定される。
【００２８】
前記前面案内灯部１０Ａ，１０Ｂ，１０Ｃおよび後面部１０Ｄを図２に示すように、例えば取り付け部材３１を介して４角筒形に組み付けてから、その上端開口を蓋体３３で閉塞し、最後に前記支柱３２に取り付ければ、行灯形のレジ案内灯１０が完成する。
【００２９】
図６は、前記レジ案内灯１０の電気的構成を示す電気回路図である。
【００３０】
図６において、例えば１２Ｖの直流電源Ｅと前記ＬＥＤ１２との間には、切り換えスイッチＳが介挿されている。この切り換えスイッチＳにおける一方の固定接点Ｓｂが前記ＬＥＤ１２に電気的に直接接続されおり、また、切り換えスイッチＳにおける他方の固定接点Ｓｃと前記ＬＥＤ１２との間には、点滅制御回路６０が介挿されている。なお、この電気回路の構成用基板（図示せず）は、前記支柱３２付近などの適所に配置され、また前記切り換えスイッチＳは、店員の操作しやすいレジ付近に配置されている。
【００３１】
上記構成のレジ案内灯１０において、レジ稼働中には、前記切り換えスイッチＳの可動接点Ｓａを一方の固定接点Ｓｂに接続して前記ＬＥＤ１２を点灯させれば、このＬＥＤ１２からの光が前記導光板１３の入光面１３ｃ，１３ｄから入射する。導光板１３に入って非出光面１３ｂから漏出しようとする光は、前記反射板１４で乱反射されて散乱光として前方へ向かい、出光面１３ａを経て面発光となって前方へ向かう。
【００３２】
前記導光板１３から出射する散乱光は、さらに乱反射シート１５で再度乱反射される。この散乱光により前記表示板１６における「￥」の表示パターンＰが照光され、これにより、表示パターンＰが背景色から視覚的に浮かび上がり、客にレジ稼働中を表示することができる。
【００３３】
また、レジを休止する際は、前記切り換えスイッチＳの可動接点Ｓａを図６に示すように、一方の固定接点Ｓｂから離して電源を切り、前記ＬＦＤ１２を消灯させれば、前記表示板１６における「￥」の表示パターンＰが照光されず、背景色と同じに暗がり状態であり、客にレジ休止中を表示できる。
【００３４】
このように、光源としてのＬＥＤ１２を使用したから、電球に比べて消費電力が極めて低減され、もって長期にわたって使用でき、また、前記低電力消費のために、専用の電源を別途設ける必要がなくなるとともに、新設および保守作業を工事士に依存しなくても行える利点がある。
【００３５】
とくに、ＬＥＤ１２の光を導光板１３により面発光に変換して前記表示板１６を照光させるようにしたので、表示パターンＰに対する照光むらの発生が少なく、良好な表示性を得ることができる。
【００３６】
なお、ＬＥＤ１２による発熱が少なく、従って４角筒形の行灯形であっても、上面開口を蓋３３で覆って密閉化させた構造を採ることができ、これにより行灯形のレジ案内灯内への塵埃の侵入を防止でき、塵埃付着によるトラブルが発生するおそれもない。
【００３７】
ところで、レジ店員が応援要請を行うときは、前記前記切り換えスイッチＳの可動接点Ｓａを他方の固定接点Ｓｃに接続して、ＬＥＤ１２を点滅させれば、前記「￥」の表示パターンＰが点滅状態で照光されるので、レジ稼働中の表示とは明確に識別可能である。
【００３８】
この点滅のためにＬＥＤ１２の電源供給が断続するが、フィラメントのないＬＥＤ１２は、電球のように寿命が短縮されるおそれもない。
【００３９】
ところで、前記の例では、４角筒形の行灯形のもので説明したが、３枚の案内灯部１０Ａ，１０Ｂ，１０Ｃを合体させた３角筒形のものなど、案内灯部１０Ａ（１０Ｂ，１０Ｃ）の数は任意に選択でき、また、１枚の案内灯部１０Ａのみを使用して、前記レジカウンタ２の前側面ないしはその付近の床に埋設状に設けることも可能となる。また、１枚の案内灯部１０Ａを使用して湾曲状や円筒形のレジ案内灯を構成することも可能である。
【００４０】
また、前記ＬＥＤ１２は、単色のものだけを使用するものに限らず、発光色の異なるものを混在させて、色違いのものを選択駆動するように構成すれば、前記レジ稼働中を表示する時と点滅駆動する時とで前記表示パターンＰの照光色を異ならて一層の差別化を図ることができる。
【図面の簡単な説明】
【００４１】
【図１】この発明の実施形態にかかるレジ案内灯が設置された店舗のレジ付近を示す斜視図である。
【図２】レジ案内灯を示す外観斜視図である。
【図３】レジ案内灯のおける一つの案内灯部を示す分解斜視図である。
【図４】同じく案内灯部の断面図である。
【図５】図４のＶの部分の拡大断面図である。
【図６】レジ案内灯の電気的構成を示す電気回路図である。
【符号の説明】
【００４２】
１２・・・・・・・・発光ダイオード
１３・・・・・・・・導光体
１３ａ・・・・・・・導光体の出光面
１３ｃ，１３ｄ・・・導光体の入光面
１４・・・・・・・・反射板
１６・・・・・・・・表示体
６０・・・・・・・・点滅制御回路
Ｐ・・・・・・・・・表示パターン
【図１】
2005099406.tif 000003
【図２】
2005099406.tif 000004
【図３】
2005099406.tif 000005
【図４】
2005099406.tif 000006
【図５】
2005099406.tif 000007
【図６】
2005099406.tif 000008